(57)【要約】  本発明は、電磁界の誘導を介した固形物の捕捉を伴って物質を移動させるためのシステムに関し、該システムは、膜と電磁界とを生成するための手段のアセンブリを形成する複数のディスク内に形成された複数のセルを備える。このアセンブリ内で形成された液膜は、ガス流に接触すると崩壊する。崩壊した液体材料は、懸濁粒子を覆い、デカンテーションを介して懸濁粒子を除去し、膜のセルもまた、ガス流の速度を上げ、ガス流を液体の表面に衝突させ、それによって、蒸気のガスへの移動を向上させる。システムはまた、アセンブリに電磁界を与えるために通電される電磁界生成手段を有し、液膜の破壊後に循環する固形物は、各ディスクのイオン挙動に従って各ディスクに引き寄せられる。システムはまた、ディスク間の空間に径方向に調節された固形物捕捉手段と、捕捉された固形物を除去し運ぶための、前記捕捉手段に対して調節された固形物除去手段とを有する。
2019503273.tif 000002
【特許請求の範囲】
【請求項１】
電磁界誘導を介して固形物を捕捉する物質移動システムであって、
液体を収容する筐体基部と、
供給スロットおよび放出スロットを有する筐体カバーと、
空気対流手段と、
固形物捕捉手段と、
固形物除去手段と、
複数のアセンブリディスクと複数のアセンブリストリップとから形成された複数の膜セルを備える膜および電磁界生成手段アセンブリであって、前記ディスクは複数のスロットと液膜の形成に適した周縁部を有する複数の穴とを有し、前記ディスクの中央部は前記アセンブリ内にチャンバを画成する、膜および電磁界生成手段アセンブリと、
を備える物質移動システムにおいて、
前記基部、前記基部の一部分、または前記基部に収容された前記液体のみが電荷を受け取り、
前記ディスクは、機械回転手段を介して通電されて電磁界を前記手段アセンブリに提供する電磁界生成手段を有し、前記液膜の破壊後に周囲の前記固形物が前記ディスクのイオン挙動に従って前記ディスクに引き寄せられ、
前記システムは、
前記アセンブリストリップを妨げることなく前記ディスク間の空間内に径方向に嵌められた固形物捕捉手段と、
前記捕捉された固形物を除去または引きずるための、前記捕捉手段に嵌められた固形物除去手段と
をさらに備えることを特徴とする、
物質移動システム。
【請求項２】
前記システムは、上カバーと、内部デフレクタと、前方デフレクタと、後方デフレクタとを有する、
請求項１に記載の電磁界誘導を介した固形物の捕捉を伴う物質移動システム。
【請求項３】
前記基部、前記基部の一部分、または前記基部に収容される前記液体のみにおける前記電荷は負電荷である、
請求項１に記載の電磁界誘導を介した固形物の捕捉を伴う物質移動システム。
【請求項４】
前記電磁界生成手段は好ましくは正イオン電荷で通電される、
請求項１に記載の電磁界誘導を介した固形物の捕捉を伴う物質移動システム。
【請求項５】
前記基部およびカバーの材料は、移動または収集されるガスまたは液体と化学的に反応してはならず、移動または収集される前記固形物とも化学的に反応してはならない、
請求項１に記載の電磁界誘導を介した固形物の捕捉を伴う物質移動システム。
【請求項６】
前記空気対流手段は、前記システムの内側で空気またはガス対流を生じさせる任意の手段を備える、
請求項１に記載の電磁界誘導を介した固形物の捕捉を伴う物質移動システム。
【請求項７】
前記空気対流手段は、軸流ファン、プランジャ、タービン、ラジアルファン、ブロワ、コンプレッサ、および間欠的または連続的な外部空気ストリームまたはパイプラインからの空気ストリームから選択され得る、
請求項１に記載の電磁界誘導を介した固形物の捕捉を伴う物質移動システム。
【請求項８】
前記穴は形状が楕円である、
請求項１に記載の電磁界誘導を介した固形物の捕捉を伴う物質移動システム。
【請求項９】
各穴の前記周縁部は歯付き形状を有する、
請求項１に記載の電磁界誘導を介した固形物の捕捉を伴う物質移動システム。
【請求項１０】
前記膜および電磁界生成手段は円筒状配置とされる、
請求項１に記載の電磁界誘導を介した固形物の捕捉を伴う物質移動システム。
【請求項１１】
前記電磁界生成手段は導電性材料のケーブルである、
請求項１に記載の電磁界誘導を介した固形物の捕捉を伴う物質移動システム。
【請求項１２】
前記電磁界生成手段の形状および配置は、前記ディスクの表面において波形となっている、
請求項１に記載の電磁界誘導を介した固形物の捕捉を伴う物質移動システム。
【請求項１３】
前記電磁界生成手段は前記穴と交互に配置されている、
請求項１に記載の電磁界誘導を介した固形物の捕捉を伴う物質移動システム。
【請求項１４】
前記アセンブリストリップは、前記ディスクの前記スロットに合致するスロットを有する矩形板から構成される、
請求項１に記載の電磁界誘導を介した固形物の捕捉を伴う物質移動システム。
【請求項１５】
前記ディスクは形状が多角形であり得る、
請求項１に記載の電磁界誘導を介した固形物の捕捉を伴う物質移動システム。
【請求項１６】
前記膜セルは前記ディスクと前記ストリップとの間の空間内に形成される、
請求項１に記載の電磁界誘導を介した固形物の捕捉を伴う物質移動システム。
【請求項１７】
前記膜セルは、１つの面が広がっている不規則な立方体の形状である、
請求項１に記載の電磁界誘導を介した固形物の捕捉を伴う物質移動システム。
【請求項１８】
前記固形物捕捉手段は、チャネルに接触している収集体の本体によって接合されているストリップ形状のゴム化収集体から構成されている、
請求項１に記載の電磁界誘導を介した固形物の捕捉を伴う物質移動システム。
【請求項１９】
前記固形物除去手段はエンドレススクリューである、
請求項１に記載の電磁界誘導を介した固形物の捕捉を伴う物質移動システム。
【請求項２０】
前記固形物除去手段は外部ホッパに向けて前記固形物を導く、
請求項１に記載の電磁界誘導を介した固形物の捕捉を伴う物質移動システム。
【請求項２１】
請求項１の前記システムの固形物捕捉を伴う物質移動の方法であって、
前記複数の膜セルのうちの少なくとも１つを前記液体内に浸漬するステップと、
前記複数の膜セルのうちの少なくとも１つが前記液体を通過するとき、前記少なくとも１つの膜セル用に液膜を形成するステップと、
前記液膜がガスストリームに接触するとき、前記液膜を崩壊させるステップと、
前記液膜が電磁界によって破壊され、前記ディスクのイオン挙動に従って周囲の前記固形物を前記ディスクに引き寄せた後、前記固形物を捕捉するステップと、
前記ガスストリームを放出し、前記捕捉された固形物を除去するステップと、
を備えることを特徴とする、方法。
【発明の詳細な説明】
【技術分野】
【０００１】
本発明は、崩壊可能な水性液体膜を通して蒸気分子を液体からガスストリームへ移動させるためのシステムおよび装置であって、さらには液体―懸濁固形物の収集を電磁界誘導によって促進する、システムおよび装置に関する。
【０００２】
本発明は、複数の用途に適用可能であるが、本明細書においては、液体（水）分子が物質移動現象によって移動されて前記液体に接触しているガス（空気）ストリームへと入り、さらに固形物（ミネラル塩および塵）が収集される、淡水化器および加湿器を参照しながら、本発明を例示的に説明する。
【背景技術】
【０００３】
物質移動は多くの用途を有する現象であり、２、３の例を挙げるとすると、淡水化工場や環境制御システムにおけるような用途がある。
【０００４】
淡水化工場または脱塩工場の場合、その目的は、海水から塩を分離および除去して飲み水を得ることである。海水は、その中に溶解したミネラル塩を含むため、人間が飲む飲料としては適さない。しかも、海水を大量に飲むと死に至り得る。地球の水の９７．５％は塩水であり、１％未満の量しか人間が飲むには適していないことが知られている。海水を飲料に適するものにすることは、飲み水不足に対する多くの可能な解決策のうちの１つである。海水淡水化工場が飲み水を製造するようになって暫く経つが、その処理は高くつき、殆ど使用されていない。現在、世界中で１日につき２４００万立方メートル超の淡水化水が製造されている。現在の淡水化工場の主たる不都合な点は、植物や動物を絶滅の危機にさらす汚染物質および塩残渣を塩抽出処理が生み出すことである。他の不都合な点は、逆浸透、蒸留、凍結、フラッシュ蒸発、水和物形成、または電気透析処理をもってしても、淡水化処理が高エネルギー消費コストを伴うことである。飲み水１立方メートルあたりの最も効率的な淡水化処理の平均的なコストは約５〜１５ドルであることが知られている。
【０００５】
この点に関して、淡水化工場に関する複数の特許がある。例えば、中国特許出願が、磁極に接続された上下の電極を有する電磁分離手段と、水を通す鉛直方向排出接続管とを用いた、電気透析海水淡水化装置を記述している。他方では、特許文献１が、スチーム排出口を備える貯留槽体を備える蒸発槽と、貯留槽体に接続されたコントローラとを有する、塩除去電磁装置であって、排出スチーム口の両端は２つのパイプラインユニットに接続されている、塩除去電磁装置に関するものである。前記文献の不都合な点は、塩粒子に対する電磁作用が、独立したアニオン―カチオン配置によってもたらされており、他の物質移動機構の可能性が利用されていないことである。
【０００６】
例示的に、環境制御システムに関していうと、大気は乾燥空気と湿り空気と呼ばれるスチームとの混合物である。このガス混合物は、環境制御システムにおいて加湿器と空気調和装置とにより調整されるものである。いくつかの基準によると、湿度は人間にとっての快適性を決める因子である。２０℃〜２６℃の間において空気中の湿度が３０〜７０％の間に保たれていれば、室内環境は快適であることが知られている。よって、加湿器は人間にとっての快適性に寄与するものでなければならない、ということになる。
【０００７】
この点に関し、特許文献２は、この種の装置を記述している。前記特許によれば、加湿された材料が回転ディスクから構成される。このディスクの底を水槽においてまたは水性液体内で浸水させ、その頂部を空気ストリームに接触させる。前記ディスクが回転すると、頂部が液体に浸かり、その浸水した部分が、濡れた部分として現れ、空気ストリームと接触する。特許文献３は、加湿材料の一部を浸水させ上部を空気に曝す、吸収性材料を備える蒸発加湿器に関するものである。前記特許では、フロート弁を使用して給水を制御することも記述されている。したがって、これらの特許および他の既存の加湿器から明らかなように、空気ストリームに含まれる汚染物質は除去されず、したがって、前記加湿器においては汚染物質が加湿空気によって運ばれるという不都合がある。他の不都合な点は、前記加湿器には塵などの懸濁固形物を保持または捕捉するための要素がない、ということである。他方では、蒸発気化器の場合、加湿された材料内の塵が濾過によって除去された場合でも、加湿された材料に接触している前記塵によって、菌類、藻類、および好気性細菌の発生が生じる。また、時間が経つにつれ、加湿された材料に蓄積した塵は、加湿された材料を通る空気循環を阻害する傾向があり、したがって、蒸気ストリームへの水の移動に影響を及ぼす。
【０００８】
塵などの固形物を除去するために、様々な種類のフィルタが知られている。また、例えば炭坑などの採掘坑環境において、塵含有量を制御するために泡を使用することが知られている。泡は、イジェクタによって生成され、高速で空気ストリームおよび水ストリームと混合される。この点に関して、特許文献４および特許文献５は、サイクロンにおいて気泡により塵を除去するためのシステムを記述している。しかし、現状技術では、菌類、藻類、および好気性細菌を生じさせることなく、加湿されたストリームから塵や汚染物質をさらに除去する蒸発装置はない。
【０００９】
最後に、本願と共通の出願人によって開発された特許文献６は、汚染物質を除去しながら液相からガス相へ物質を移動させるシステムおよび装置であって、複数の液膜生成セルを備え、前記液膜はガスストリームに接触することによって崩壊されることを特徴とする、システムおよび装置に言及している。崩壊した液体材料は、懸濁粒子を覆い、デカンテーションを介して懸濁粒子を除去し、膜セルもまた、ガスストリームの速度を上げ、前記ストリームを液体の表面に衝突させ、それによって、ガス内への蒸気移動を向上させている。しかし、そのようなシステムおよび装置は物質移動による固形物の捕捉を想定しておらず、もし想定していれば、物質移動技術の範囲および使用が拡大可能である。
【００１０】
結論として、現状技術では、特定の極性に従って金属イオンを引き寄せるために磁界生成を用いることによってガスと液体の両方ならびに固形物の物質移動を実現するための、特に物質移動ゾーンに焦点を当てた、システムおよび装置がない。また、これまでに特定された設備およびシステムのうちで、いくつかの可変要素による複数の用途に柔軟に適合され得るものがない。
【先行技術文献】
【特許文献】
【００１１】
【特許文献１】中国実用新案第ＣＮ２０３９２２７８３Ｕ号
【特許文献２】米国特許第ＵＳ４，８４４，８４２号
【特許文献３】米国特許第５，９４５，０３８号
【特許文献４】米国特許第ＵＳ４，０００，９９２号
【特許文献５】米国特許第ＵＳ４，４００，２２０号
【特許文献６】メキシコ特許第２６４６３５号
【発明の概要】
【発明が解決しようとする課題】
【００１２】
本発明の目的は、蒸発によって液体の分子を当該液体に接触しているガスストリームへ移動させるためのシステムを提供することである。
【００１３】
本発明の他の目的は、前記システムにおいて、特定の極性に従って金属イオンを引き寄せるために磁界生成を用いることによって、懸濁粒子、汚染物質、または塵などの固形物の物質移動を実現することである。
【００１４】
本発明のさらなる他の目的は、前記システムが、適切に堆積するようにまたはさらなる用途のために、前記固形物の捕捉を可能にすることである。
【００１５】
本発明のさらなる他の目的は、前記システムが、柔軟化またはいくつかの因子を変更することによって複数の用途および適用例に適合できるようにすることである。
【００１６】
発明のさらなる目的は、極めて効果的な物質移動能力を有し、製造コストおよび運転コストが低減された、容易な保守システムを提供することにある。
【図面の簡単な説明】
【００１７】
【図１】本発明の電磁界誘導を介した固形物の捕捉を伴う物質移動システムの分解図である。
【図２】本発明の電磁界誘導を介した固形物の捕捉を伴う物質移動システムの側断面図である。
【図３】本発明の電磁界誘導を介した固形物の捕捉を伴う物質移動システムの正面図である。
【図４】本発明の固形物捕捉を伴う物質移動システムの膜および電磁界生成手段アセンブリの斜視断面図である。
【図５】本発明の固形物捕捉を伴う物質移動システムの膜および電磁界生成手段の正面図である。
【図６】本発明の固形物捕捉を伴う物質移動システムの膜および電磁界生成手段の詳細図である。
【図７】本発明の固形物捕捉を伴う物質移動システムの膜セルの斜視図である。
【図８】本発明の固形物捕捉を伴う物質移動システムの固形物除去のための手段の正面図である。
【図９】本発明の固形物捕捉能力を有する物質移動システムの固形物除去のための手段と相互作用するホッパの斜視図である。
【発明を実施するための形態】
【００１８】
図１〜３によれば、本発明の物質移動システムは、筐体基部（１）と、筐体カバー（２）と、上カバー（３）と、内部デフレクタ（４）と、前方デフレクタ（５）と、後方デフレクタ（６）と、空気対流手段（７）と、固形物捕捉手段（８）と、固形物除去手段（９）と、膜および電磁界生成アセンブリ（１０）とを備える。
【００１９】
筐体を共に形成する基部（１）およびカバー（２）は、例えば金属、ガラス、木材、またはプラスチックなどの任意の材料からできていてよい。基部（１）は、本システムによって処理される、懸濁固形物を有するまたは有さない液体を保持できる。基部（１）、前記基部（１）の一部分、または基部（１）内に保持された液体のみが、固形物の捕捉を可能にする電荷、好ましくは負電荷、を受け取る。カバー（２）はまた、供給スロット（２１）およびその上の放出スロット（２２）を有し、供給スロット（２１）および放出スロット（２２）それぞれを通してガスがシステムに入ったり出たりする。さらに、カバー（２）は、固形物捕捉収集システムの一部を具現化したホッパ（２９）を支える。好ましくは、基部（１）およびカバー（２）の材料は、移動または収集される前記ガス、液体、または固形物と化学的に反応するべきではない。
【００２０】
空気対流手段（７）は、システム内に空気またはガス対流を生じさせる任意の手段を備える。図１および２は、軸流ファンとしての前記手段を示しているが、例えばプランジャ、タービン、ラジアルファン、ブロワ、コンプレッサなどの、空気流を生成する任意のシステムを使用してよい。代替として、例えばパイプラインからのストリームなどの外部空気ストリームが使用できる。空気またはガス流は、間欠的なものでも連続的なものでもよい。
【００２１】
空気に膜および電磁界生成手段（１０）を通過させるが、これは図４〜６において最もよく示されている。前記手段（１０）は、複数の膜セル（１１）を備え、水性膜の形成のための表面を提供する。複数のセル（１１）は、複数のディスク（１２）およびアセンブリストリップ（１３）から形成される。前記ディスクは、複数のスロット（１２１）および複数の穴（１２２）を有する。前記穴（１２２）は周縁部（１２３）を有する。穴の形状および穴の周縁部の形状は、液膜を形成するのに適したものであるべきである。図５および６に示すように、好ましくは、前記穴（１２２）は楕円（ｏｖａｌ）形状を有し、好ましくは、各穴（１２２）の周縁部１２３）は歯付き形状を有し、液膜の形成を促進する接触度が最も高い表面を提供する。さらに、前記ディスク（１２）は中空中央部（１２４）を有する。ディスク（１２）の中央部（１２４）は、膜および電磁界生成手段（１０）の円筒アセンブリ内側にチャンバ（１２）を画成する。本発明の好ましい実施形態において、手段（１０）は、円筒状に配置された複数の膜セル（１１）として示されている。しかし、当業者には明らかとなるように、そのような配置は変更可能である。例えば、膜セル（１１）は、空気が循環するセルのブロックとして配置できる。ただし、液体供給手段は、前記セルのブロックを浸漬するまたは濡らさなければならない。膜生成セルのブロックは、本発明の範囲内に含まれると考えられる。
【００２２】
さらに、ディスク（１２）はまた、各特定の場合において、特定の極性に従って金属イオンを引き寄せるための電磁界生成手段（１２５）を有する。好ましくは、前記電磁界生成手段（１２５）は、導電性材料のケーブルからできている。ディスク（１２）表面上の前記手段（１２５）の形状または配置は、図示されているように波形であるが、他の種類の構成もまた考えられる。好ましくは、電磁界生成手段（１２５）は、図５に示すように、穴（１２２）と交互に配置される。しかし、穴（１２２）と手段（１２５）とを様々な規則的または不規則なパターンで交互に配置することも、本発明の範囲に含まれる。前記手段（１２５）は、機械回転手段（１２６）により、好ましくは正イオン電荷で通電される。
【００２３】
図４から分かるように、アセンブリストリップ（１３）は、スロットを有する矩形板から構成され、これらのスロットが、アセンブリストリップ（１３）を連結するためのディスクのスロット（１２１）に合致し、円筒に似た構造を有する膜および電磁界生成手段（１０）を形成する。当業者には明らかとなるように、ディスクは多角形形状を有することができる。多角形形状を有する前記ディスクは、本発明の範囲に含まれると考えられる。さらに、前記固形物捕捉手段（８）は、ストリップ形状のゴム化収集体（８１）から構成され、ゴム化収集体（８１）は、ディスク（１２）間の空間に導入され、それによって、その空間にディスク（１２）の回転を妨げることなく嵌まる。なぜなら、ゴム化収集体（８１）は、前記ストリップ（１３）を妨げないからである。前記ゴム化収集体は収集体の本体（８２）を介して接合されており、収集体の本体（８２）はチャネル（８９）に接触している。好ましい実施形態では、固形物除去手段（９）が前記チャネル（８９）内に嵌められて配置されている。前記除去手段（９）は、図８に示されており、チャネル（８９）に捕捉された固形物の除去および運搬を可能にする回転するエンドレススクリューにより構成されており、固形物を図９に示すホッパ（２９）に向けて筐体カバー（２）の外に導く。
【００２４】
図７に戻って、膜セル（１１）はディスク（１２）表面とストリップ（１３）表面との間の空間に形成される。前記セルは、その面のうちの１つが広がっている不規則な立方体の形状である。
【００２５】
膜および電磁界生成手段（１０）は、その動作の間、回転し、各膜セル（１１）は周期的に以下のステップを経る：液体内での浸漬、膜形成、膜破壊、固形物捕捉、ならびに湿り空気および固形物の除去。
【００２６】
浸漬の間、膜および電磁界生成手段（１０）は、決められたレベルまで、基部（１）に収容された液体に部分的に浸漬される。膜および電磁界生成手段（１０）は、その回転により基部（１）の液体内に浸漬され、その結果、液体がセル（１１）を完全に覆う。
【００２７】
膜形成の間、ディスク（１２）は、浸漬されていたセル（１１）が現れるように回転し、液体は排液されて基部（１）へ戻る。液体の表面張力により、水性膜が、液体表面から外に現れてくる各セル（１１）において生成される。図７によれば、一対の側部膜（１１１）がセル（１１）の側部穴（１２２）に形成される。さらに、上部膜（１１２）がその構造の最も広い部分に形成され、下部膜（１１３）がセル（１１）の最も細い部分に形成される。さらに、より低い程度で、膜（１１２）および（１１３）に平行な内部膜（図示せず）が、膜セル（１１）の内側に形成される。前記膜のうちの１つのみ、いくつか、または全てが形成され得る。基部（１）に収容された液体から膜セル（１１）が現れると、膜（１１１、１１２、および１１３）が形成される。空気ストリームが、まず、上部膜（１１２）を破壊し、次いで膜セル（１１）に入り、側部膜（１１１）および中間膜を破壊し、最後に下部膜（１１３）を破壊し、続いてチャンバ（１５）に入る。
【００２８】
膜破壊ステップにおいて、水性膜が液体から形成され、ガスまたは空気流が水性膜に衝突する。膜は崩壊して霧状となり、何千という粒子になって散らばる。空気中に懸濁している粒子は、膜の霧によって捉えられ、デカントされる。セル（１１）は、空間と時間をかけて、空気中に分散したままの霧状粒子を沈降させ凝集させる。膜破壊の間、空気または液体その両方にある懸濁固形物は、膜縁部の方へ導かれ、膜破壊のときにそれら固形物が飽和したためデカントされた結果、ディスク（１２）のいずれかの表面に接近するまたは接触する。一旦、ガスストリームが液体表面に衝突すると、ガスストリームは液体のいくらかの量を吸収し、液体粒子を多く含んだガスが外部に向けて導かれる。
【００２９】
固形物捕捉段階になると、電気パルスが電磁界生成手段（１２５）を通ってアセンブリ手段（１０）に電磁界を与え、それによって、膜破壊後の周囲の固形物がディスク（１２）のイオン挙動に従ってディスク（１２）に引き寄せられる。同様に、ガスストリーム内に存在する固形物粒子および汚染物質は、それらが膜破壊の間に飽和した結果、デカントされ、懸濁粒子が捉えられ、その重量が増加し、そして沈降する。
【００３０】
最後に、湿り空気および固形物放出の段階では、崩壊した膜から生じた液体粒子は空気ストリームへと移動され、それによって、空気ストリームを加湿する。代替として、芳香または消毒剤を加えてもよく、これらもまた空気ストリームへと移動され得る。この処理から生じる空気流は完全に清浄なものであり、環境を加湿し芳香化する。膜破壊によって液体を霧状化することにより、液体のガスストリームへの移動が促進される。膜セル（１１）は出口領域よりも大きい入口領域を有しているので、前記特徴により、ガスストリームは入るときよりも高速で出る。膜セル（１１）の形状により、イジェクタと同様に、膜セル（１１）に入る空気ストリームは加速され、より高速でチャンバ（１５）内側の液体表面に向けて導かれる。空気は約４５°の最適な角度で液体表面へと導かれ、当該表面に衝突し、液体の他の部分を吸収する。セルサイズと膜および電磁界生成手段（１０）の回転速度とを計算することにより空気流が制御され得ることは、言及に値する。カバー（２）のスロット（２２）は、加湿された空気の排出ストリームを均質化するように配置される。
【００３１】
他方では、電磁界生成手段（１２５）によりディスク（１２）表面に引き寄せられた固形物は、ゴム化収集体（８１）によって捕捉され、収集体の本体（８２）に向けて導かれる。引き寄せられ捕捉された固形物は、さらにチャネル（８９）へと導かれ、固形物除去手段（９）が固形物を除去し、当該固形物をシステムの筐体カバー（２）の外にあるホッパ（２９）へと導く。
【００３２】
本発明の電磁界誘導を介した固形物の捕捉を伴う物質移動システムは、さらに、設備、液体のレベル、ファンの速度、膜および電磁界生成手段（１０）の回転速度、液体に供給される電流、電磁界生成手段（１２５）に向けたパルス、および固形物除去手段（９）の出口をオン／オフ切り替えする、電子または電気制御手段（図示せず）を備え、それによって、排出ガス組成、捕捉され除去された固形物、液体から生じる最終組成が制御される。
【００３３】
当業者には明らかとなるように、複数のディスク（１２）は、水性膜の形成と電磁界による固形物の捕捉とを可能にする任意の適切な材料から製造される。例えば、ディスクは、固形物の引き寄せおよび電気透析による捕捉可能性を促進するために、様々な固形物の反応または様々な種類のディスク（１２）の配置のいずれかを可能とする、一定の金属から作製され得る。
【００３４】
同様に、当業者には明らかとなるように、使用されるガス、液体、および固形物の種類は任意の所望の種類を含み、その種類は用途に従って決まる。例えば、網羅的ではないが、本発明の電磁界誘導を介した固形物の捕捉を伴う物質移動システムは、工業、商業、またはユーティリティ用途のための、海水淡水化用途；塩水および高塩分産業廃棄物の淡水化；主に銅、鉄、およびニッケルの採掘産業における汚染物質除去および金属回収；温室内の制御された環境の提供；閉環境における、芳香または殺菌剤を用いたまたは用いない、空気加湿；高度に汚染された環境における風媒粒子の除去；農業における銅塩の除去；ならびに、一般に、空気、液体および／または固形物の濾過システム、に使用できる。
【図１】
2019503273.tif 000003
【図２】
2019503273.tif 000004
【図３】
2019503273.tif 000005
【図４】
2019503273.tif 000006
【図５】
2019503273.tif 000007
【図６】
2019503273.tif 000008
【図７】
2019503273.tif 000009
【図８】
2019503273.tif 000010
【図９】
2019503273.tif 000011
【国際調査報告】
2019503273.tif 000012
2019503273.tif 000013
2019503273.tif 000014
2019503273.tif 000015
2019503273.tif 000016
2019503273.tif 000017